【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
文書間の関連付けを行う文書関連付け装置において、
階層的な論理構造の文書群を格納する文書蓄積手段と、
前記文書蓄積手段に格納されている文書を被関連付け対象文書とし、前記被関連付け対象文書を構成する各要素の上位構造と下位構造とを関連付ける階層構造関連付け手段と、
前記被関連付け対象文書中の特定の属性を有する処理対象要素に含まれる内容からキーワードを抽出するキーワード抽出手段と、
前記キーワード抽出手段により抽出された前記キーワードを含む文書を、前記文書蓄積手段内より検索する文書内容検索手段と、
前記文書内容検索手段により検出された文書中の前記キーワードと、前記キーワードの抽出元となる前記被関連付け対象文書内の前記処理対象要素とを関連付けるキーワード関連付け手段と、
を有することを特徴とする文書関連付け装置。
【請求項２】
前記キーワード抽出手段は、前記被関連付け対象文書の表題としての属性を有する要素と、記載内容の見出しとしての属性を有する要素とを、前記処理対象要素として取り扱うことを特徴とする請求項１記載の文書関連付け装置。
【請求項３】
構造化文書の内容を閲覧する文書閲覧装置において、
階層的な論理構造の文書群を格納する文書蓄積手段と、
前記文書蓄積手段に格納されている被関連付け対象文書に対して、前記被関連付け対象文書を構成する各要素の上位構造と下位構造とを関連付ける階層構造関連付け手段と、
前記被関連付け対象文書中の特定の属性を有する処理対象要素に含まれる内容から、キーワードを抽出するキーワード抽出手段と、
前記キーワード抽出手段により抽出された前記キーワードに基づいて、前記文書蓄積手段に蓄積されている他の文書の内容を検索する文書内容検索手段と、
前記文書内容検索手段により検出された文書中の前記キーワードと、前記キーワードの抽出元となる前記被関連付け対象文書内の前記処理対象要素とを関連付けるキーワード関連付け手段と、
文書閲覧要求に応じて、前記文書蓄積手段から文書を抽出する文書抽出手段と、
前記文書抽出手段にて抽出された文書中で、前記キーワード関連付け手段により関連付けられた前記キーワードが選択されると、前記キーワードに対して関連付けられた前記被関連付け対象文書中の関連要素及び前記関連要素に関連付けられている下位の要素を順次抽出する要素抽出手段と、
前記要素抽出手段により抽出された前記関連要素の内容及び前記関連要素に関連付けられている下位の要素の内容を抽出する内容抽出手段と、
を有することを特徴とする文書閲覧装置。
【請求項４】
前記要素抽出手段により複数の前記関連要素が抽出された場合には、そのうちの１つの前記関連要素を選択し、選択した前記関連要素に関連付けられた下位の要素が複数存在する場合にはそのうちの１つの要素を選択する要素選択手段をさらに有し、
前記内容抽出手段は、前記要素選択手段により選択された前記関連要素の内容及び選択された下位の要素の内容を抽出する、
ことを特徴とする請求項３記載の文書閲覧装置。
【請求項５】
前記要素抽出手段は、前記キーワード関連付け手段により関連付けられた要素が複数抽出され、かつそれらの要素が同一文書内に存在する場合には、同一文書内に存在する要素への関連付けをグループ化して抽出することを特徴とする請求項３記載の文書閲覧装置。
【請求項６】
前記要素抽出手段は、文書ごとの関連付けをグループ化した場合には、同一文書内への関連付けの数、および関連付けられる要素の階層の深さから算出される重要度に応じて、各グループを並べ替えることを特徴とする請求項５記載の文書閲覧装置。
【請求項７】
前記要素抽出手段は、文書ごとにグループ化された関連付け要素群を、関連付けられる要素の階層の深さから算出される重要度および文書中での出現順序に応じてグループ内で並べ替えることを特徴とする請求項５記載の文書閲覧装置。
【請求項８】
文書間の関連付けを行うための文書関連付けプログラムを記録したコンピュータ読み取り可能な記録媒体において、
階層的な論理構造の文書群を格納する文書蓄積手段、
前記文書蓄積手段に格納されている文書を被関連付け対象文書とし、前記被関連付け対象文書を構成する各要素の上位構造と下位構造とを関連付ける階層構造関連付け手段、
前記被関連付け対象文書中の特定の属性を有する処理対象要素に含まれる内容からキーワードを抽出するキーワード抽出手段、
前記キーワード抽出手段により抽出された前記キーワードを含む文書を、前記文書蓄積手段内より検索する文書内容検索手段、
前記文書内容検索手段により検出された文書中の前記キーワードと、前記キーワードの抽出元となる前記被関連付け対象文書内の前記処理対象要素とを関連付けるキーワード関連付け手段、
としてコンピュータを機能させることを特徴とする文書関連付けプログラムを記録したコンピュータ読み取り可能な記録媒体。
【請求項９】
構造化文書の内容を閲覧するための文書閲覧プログラムを記録したコンピュータ読み取り可能な記録媒体において、
階層的な論理構造の文書群を格納する文書蓄積手段、
前記文書蓄積手段に格納されている被関連付け対象文書に対して、前記被関連付け対象文書を構成する各要素の上位構造と下位構造とを関連付ける階層構造関連付け手段、
前記被関連付け対象文書中の特定の属性を有する処理対象要素に含まれる内容から、キーワードを抽出するキーワード抽出手段、
前記キーワード抽出手段により抽出された前記キーワードに基づいて、前記文書蓄積手段に蓄積されている他の文書の内容を検索する文書内容検索手段と、
前記文書内容検索手段により検出された文書中の前記キーワードと、前記キーワードの抽出元となる前記被関連付け対象文書内の前記処理対象要素とを関連付けるキーワード関連付け手段、
文書閲覧要求に応じて、前記文書蓄積手段から文書を抽出する文書抽出手段、
前記文書抽出手段にて抽出された文書中で、前記キーワード関連付け手段により関連付けられた前記キーワードが選択されると、前記キーワードに対して関連付けられた前記被関連付け対象文書中の関連要素及び前記関連要素に関連付けられている下位の要素を順次抽出する要素抽出手段、
前記要素抽出手段により抽出された前記関連要素の内容及び前記関連要素に関連付けられている下位の要素の内容を抽出する内容抽出手段、
としてコンピュータを機能させることを特徴とする文書閲覧プログラムを記録したコンピュータ読み取り可能な記録媒体。
【請求項１０】
文書間の関連付けを行うための文書関連付け方法において、
文書蓄積手段が、階層的な論理構造の文書群を格納し、
階層構造関連付け手段が、前記文書蓄積手段に格納されている文書を被関連付け対象文書とし、前記被関連付け対象文書を構成する各要素の上位構造と下位構造とを関連付け、
キーワード抽出手段が、前記被関連付け対象文書中の特定の属性を有する処理対象要素に含まれる内容からキーワードを抽出し、
文書内容検索手段が、前記キーワード抽出手段により抽出された前記キーワードを含む文書を、前記文書蓄積手段内より検索し、
キーワード関連付け手段が、前記文書内容検索手段により検出された文書中の前記キーワードと、前記キーワードの抽出元となる前記被関連付け対象文書内の前記処理対象要素とを関連付ける、
ことを特徴とする文書関連付け方法。
【請求項１１】
構造化文書の内容を閲覧するための文書閲覧方法において、
文書蓄積手段が、階層的な論理構造の文書群を格納し、
階層構造関連付け手段が、前記文書蓄積手段に格納されている被関連付け対象文書に対して、前記被関連付け対象文書を構成する各要素の上位構造と下位構造とを関連付け、
キーワード抽出手段が、前記被関連付け対象文書中の特定の属性を有する処理対象要素に含まれる内容から、キーワードを抽出し、
文書内容検索手段が、前記キーワード抽出手段により抽出された前記キーワードに基づいて、前記文書蓄積手段に蓄積されている他の文書の内容を検索し、
キーワード関連付け手段が、前記文書内容検索手段により検出された文書中の前記キーワードと、前記キーワードの抽出元となる前記被関連付け対象文書内の前記処理対象要素とを関連付け、
文書抽出手段が、文書閲覧要求に応じて、前記文書蓄積手段から文書を抽出し、
要素抽出手段が、前記文書抽出手段にて抽出された文書中で、前記キーワード関連付け手段により関連付けられた前記キーワードが選択されると、前記キーワードに対して関連付けられた前記被関連付け対象文書中の関連要素及び前記関連要素に関連付けられている下位の要素を順次抽出し、
内容抽出手段が、前記要素抽出手段により抽出された前記関連要素の内容及び前記関連要素に関連付けられている下位の要素の内容を抽出する、
ことを特徴とする文書閲覧方法。